(57)【要約】      （修正有）【課題】バルブとの接続や解除する際の操作性を損なうことのないエアチャックを提供する。【解決手段】エアチャック１は、通気管１１０と、通気管の一端に、タイヤバルブとの接続口Ｈ２が通気管の他端側から視認可能なように連結され、接続口がタイヤバルブに接続された際に通気管内部とタイヤ内とを通気可能に連通させるヘッド１２０と、ヘッドに対して第１の位置へ向けて弾性的に押圧されており、該弾性力に抗して押圧されることで第２の位置まで移動可能であり、第１の位置においてヘッドのタイヤバルブとの係合を許容し、第２の位置においてヘッドのタイヤバルブとの係合を解除する解除用部材１３０と、ユーザ操作により、少なくとも一部が通気管の長手方向に沿ってスライド可能であり、スライド動作に伴って解除用部材を第１の位置から前記第２の位置まで押圧移動させるスライド部材１６０と、を備える。【選択図】図１
2018144683.tif 000002
【特許請求の範囲】
【請求項１】
通気管と、
前記通気管の一端に、タイヤバルブとの接続口が前記通気管の他端側から視認可能なように連結され、前記接続口が前記タイヤバルブに接続された際に前記通気管内部とタイヤ内とを通気可能に連通させるヘッドと、
前記ヘッドに対して第１の位置へ向けて弾性的に押圧されており、該弾性力に抗して押圧されることで第２の位置まで移動可能であり、前記第１の位置において前記ヘッドの前記タイヤバルブとの係合を許容し、前記第２の位置において前記ヘッドの前記タイヤバルブとの係合を解除する解除用部材と、
ユーザ操作により、少なくとも一部が前記通気管の長手方向に沿ってスライド可能であり、前記スライド動作に伴って前記解除用部材を前記第１の位置から前記第２の位置まで押圧移動させるスライド部材と、を備えるエアチャック。
【請求項２】
前記ヘッドにおける前記接続口の前記エアチャックの長手方向における位置は、前記ヘッドの前記接続口を前記エアチャックの接続対象として規定されている所定のホイール群の内の最小径のホイールのタイヤバルブに接続した状態において、前記最小径のホイールの飾り孔内の空間内に、前記エアチャックの前記ヘッド側の端部の少なくとも一部が位置しないように設定されていることを特徴とする請求項１に記載のエアチャック。
【請求項３】
前記スライド部材は、前記通気管が挿通される筒状部材であることを特徴とする請求項１に記載のエアチャック。
【請求項４】
前記スライド部材は、弾性材料から構成される請求項３に記載のエアチャック。
【請求項５】
前記通気管は、その長手方向における所定位置において、前記ヘッド側から前記通気管の他端側に向かうにつれて前記ヘッドの中心軸から遠ざかる方向に屈曲していることを特徴とする請求項１に記載のエアチャック。
【請求項６】
前記ヘッドの接続口側の端部は、前記所定位置付近に位置することを特徴とする請求項５に記載のエアチャック。
【発明の詳細な説明】
【技術分野】
【０００１】
本発明は、タイヤのバルブに接続されるエアチャックに関する。
【背景技術】
【０００２】
従来、トラックやバス等の大型車両では、いわゆるダブルタイヤ（Ｄｏｕｂｌｅ  ｔｉｒｅ）と呼ばれる、二つのタイヤを連結して一つのタイヤのように使用する装着形態が知られる。このような装着形態は、ツインタイヤ（Ｔｗｉｎ  ｔｉｒｅ）やデュアルタイヤ（Ｄｕａｌ  ｔｉｒｅ）とも呼ばれる。
【発明の概要】
【発明が解決しようとする課題】
【０００３】
図１０は、一般的なダブルタイヤの車軸（不図示）を含む断面のタイヤ上部付近のみを示す図である。ここでは、車両中央に近い側に位置する内側タイヤＴｉと車両中央から離れた位置にある外側タイヤＴｏとを組み合わせてダブルタイヤを構成している例を示している。
【０００４】
このような構成のダブルタイヤを構成するそれぞれのタイヤＴｉおよびＴｏは、空気の充填やタイヤ圧力の測定のためのバルブＶｉおよびＶｏを有している。これらバルブへのエアチャックの接続は、外側タイヤＴｏのホイールＷｏに形成されている飾り孔Ｋにエアチャックを挿通することによって実現される。
【０００５】
同図に示すように、一般的なダブルタイヤでは、車両中央に近い側に位置する内側タイヤＴｉのバルブＶｉの先端（すなわち接続口）は、車両の外側を向いており、車両中央から離れた側に位置する外側タイヤＴｏのバルブＶｏの先端（すなわち接続口）は、車両の中央側を向いている。
【０００６】
したがって、このようなダブルタイヤを車両に装着した状態のままで空気の充填作業やタイヤ圧力の測定を行いたい場合、内側タイヤＴｉのバルブＶｉに対しては、作業者は車両の外側から車両の中央へ向かう方向Ｃ１（いわゆる押し方向）にエアチャックの接続口を挿し込めば、エアチャックの接続口をバルブＶｉに接続することができる。
【０００７】
一方、外側タイヤＴｏのバルブＶｏに対しては、図１０に示すように、作業者はエアチャックの接続口を上記飾り孔Ｋに挿し込んだ上で（押し方向Ｃ１）、さらに車両の内側から車両の外側へ向かう方向Ｃ２（いわゆる引き方向）にエアチャックの接続口を移動させることで、当該接続口をバルブＶｏに接続しなければならない。
【０００８】
特に、ホイール径や飾り孔の径が小さいホイールの場合、そのようなダブルタイヤの外側タイヤのバルブへのエアチャックの接続は困難を極める場合がある。
【０００９】
さらに、エアチャックは気密性や安全性の観点から、バルブに接続された際には、エアチャックの接続口がバルブから離間しないように、バルブに対して係合する機構を備えており、通常そのような係合機構は作業者がエアチャックの接続口付近に設けられる接続解除用の可動部品を操作することによって接続解除可能となっている。
【００１０】
しかしながら、上述のようなダブルタイヤの外側タイヤのバルブにエアチャックを接続する場合、エアチャックの接続口はホイールの飾り孔内に挿入された状態にあり、たとえエアチャックをバルブに接続できたとしても、上述のような接続解除用の可動部品の操作が非常に困難あるいは不可能な場合もある。
【００１１】
本発明は上述した問題点を解決するためになされたものであり、いわゆる引き動作によって接続する必要があり且つ作業者の手が届きにくい位置にあるバルブにエアチャックを接続する場合においても、バルブとの接続を解除する際の操作性を損なうことのないエアチャックを提供することを目的とする。
【課題を解決するための手段】
【００１２】
上記課題を解決するため、本発明の一態様は、通気管と、前記通気管の一端に、タイヤバルブとの接続口が前記通気管の他端側から視認可能なように連結され、前記接続口が前記タイヤバルブに接続された際に前記通気管内部とタイヤ内とを通気可能に連通させるヘッドと、前記ヘッドに対して第１の位置へ向けて弾性的に押圧されており、該弾性力に抗して押圧されることで第２の位置まで移動可能であり、前記第１の位置において前記ヘッドの前記タイヤバルブとの係合を許容し、前記第２の位置において前記ヘッドの前記タイヤバルブとの係合を解除する解除用部材と、ユーザ操作により、少なくとも一部が前記通気管の長手方向に沿ってスライド可能であり、前記スライド動作に伴って前記解除用部材を前記第１の位置から前記第２の位置まで押圧移動させるスライド部材と、を備えるエアチャックに関する。
【発明の効果】
【００１３】
本発明によれば、いわゆる引き動作によって接続する必要があり且つ作業者の手が届きにくい位置にあるバルブにエアチャックを接続する場合においても、バルブとの接続を解除する際の操作性を損なうことのないエアチャックを提供することができる。
【図面の簡単な説明】
【００１４】
【図１】本発明の第１の実施の形態に係るエアチャックの全体構成を示す外観図である。
【図２】本発明の第１の実施の形態によるエアチャックの基本構成を示す断面図である。
【図３】本発明の第１の実施の形態によるエアチャックにおけるスライド部材の動作を示す図である。
【図４】本発明の第１の実施の形態によるエアチャックをホイールの飾り孔に挿入した状態を示す概略断面図である。
【図５】本発明の第１の実施の形態によるエアチャックをダブルタイヤにおける外側タイヤのバルブに接続した状態を示す概略断面図である。
【図６】本発明の第１の実施の形態によるエアチャックをダブルタイヤにおける外側タイヤのバルブに接続した状態で、外側タイヤへの充気作業もしくは空気圧測定を行なう様子を示す概念図である。
【図７】本発明の第１の実施の形態によるエアチャックにおいて、スライド部材を用いてバルブとの接続を解除する様子を示す概略断面図である。
【図８】本発明の第１の実施の形態によるエアチャックにおいて、バルブとの接続解除後にバルブから退避している様子を示す概略断面図である。
【図９】本発明の第２の実施の形態によるエアチャックの変形例を示す断面図である。
【図１０】一般的なダブルタイヤにおけるバルブ位置について説明するための図である。
【発明を実施するための形態】
【００１５】
以下、本発明の実施の形態について図面を参照しつつ説明する。
【００１６】
（第１の実施の形態）
まず、本発明の第１の実施の形態によるエアチャックについて説明する。
【００１７】
＜全体構成＞
図１は、本発明の第１の実施の形態に係るエアチャックの全体構成を示す外観図である。図２は、本発明の第１の実施の形態によるエアチャックの基本構成を示す断面図である。
【００１８】
本実施の形態によるエアチャック１は、例えば、通気管１１０と、ヘッド１２０と、解除用部材１３０と、接続部材１４０と、グリップ部１５０と、スライド部材１６０と、を備えている。
【００１９】
通気管１１０は、例えば鉄等の金属材料により形成されるパイプ状部材である。通気管１１０の一端側にはヘッド１２０が接続部材１４０を介して連結され、他端側にはグリップ部１５０が設けられている。
【００２０】
具体的に、ヘッド１２０はタイヤバルブとの接続口Ｈ２を有しており、当該接続口Ｈ２が通気管１１０の他端側から視認可能なように、通気管１１０の一端に連結されている。また、ヘッド１２０はその内部に通気路を有し、接続口Ｈ２がタイヤバルブに接続された際に通気管１１０内部とタイヤ内とを通気可能に連通させる。
【００２１】
なお、ヘッド１２０の接続口Ｈ２が「他端側から視認可能」とは、接続口Ｈ２の中心軸（図２に示す軸１２０ｘ）が厳密に通気管１１０に平行な方向を向いている必要はなく、通気管１１０の他端側から接続口Ｈ２の少なくとも一部が視認できる状態にあれば、「他端側から視認可能」の概念に含まれる。
【００２２】
なお、ここでは一例としてヘッド１２０が接続部材１４０によって通気管１１０に保持されている構成を例示しているが、これに限られるものではなく、例えばＵ字状に屈曲させた通気管１１０の一端にヘッド１２０を直接連結する構成とすることもできる。
【００２３】
また、本実施の形態では、一例としてヘッド１２０の接続口Ｈ２の向きが固定されている構成を例示したが、これに限られるものではなく、例えば、通気管１１０の一端に対してヘッド１２０を回転可能に保持し、対象であるホイールのバルブの位置等に応じてヘッド１２０における接続口Ｈ２の向きを任意に変更可能な構成とすることもできる。
【００２４】
また、本実施の形態では、ヘッド１２０に接続口が１つのみ設けられた構成を例示しているが、これに限られるものではなく、例えば、ヘッド１２０における両サイドに接続口をそれぞれ設ける構成とすることもできる。
【００２５】
解除用部材１３０は、例えば樹脂製や金属製の筒状部材である。解除用部材１３０は、その内側にヘッド１２０の先端付近が位置する状態で、ヘッド１２０に対して第１の位置Ｐ１へ向けて矢印Ｎ２の方向に例えばつるまきバネＳ等によって弾性的に押圧されており、該弾性力に抗して矢印Ｎ１の方向に押圧されることで第２の位置Ｐ２まで移動可能になっている。解除用部材１３０は、第１の位置Ｐ１においてヘッド１２０のタイヤバルブとの係合を許容し、第２の位置Ｐ２においてヘッド１２０のタイヤバルブとの係合を解除する。
【００２６】
ここでのヘッド１２０の具体的な内部構成（内部機構）の一例としては、公知の一般的機構を採用可能であり、例えば、旭産業株式会社（登録商標）製の４−ＳＣＭチャック（登録商標）に採用されている構成等が挙げられる。もちろん、ヘッド１２０の構成はこれらの例に限られるものではなく、スライド部材１６０のスライド動作に連動して、解除用部材１３０が第１の位置Ｐ１と第２の位置Ｐ２との間で移動する他の構造を適宜採用可能である。
【００２７】
本実施の形態におけるヘッド１２０は、解除用部材１３０が第１の位置Ｐ１にありタイヤバルブとの係合が許容される状態において、例えばタイヤバルブに対して接続口Ｈ２を
押し込むことによってタイヤバルブが接続口Ｈ２内で係合する。このようにしてタイヤバルブに対して押し込まれて係合するタイヤバルブと接続口Ｈ２との間の係合状態は、上述の解除用部材１３０を第２の位置Ｐ２に移動させることにより解除される。
【００２８】
グリップ部１５０は、例えばゴム製の筒状部材であり、通気管１１０の他端の外周を包囲するように設けられている。グリップ部１５０は、作業者がエアチャック１を保持する際に握るための持ち手部分であり、同時に通気管１１０の外周を覆うことによってホイールとの干渉を避ける役割も担っている。
【００２９】
また、本実施形態ではグリップ部１５０が通気管１１０の他端に設けられている構成を例示しているが、必ずしも厳密な端部に設けられていなくともよい。また、グリップ部１５０は、エアチャックに必須の構成部品ではなく、結果的に通気管１１０を保持することができれば、通気管１１０の外周面に滑り止め処理を施してもよいし、エアチャックの保持に問題が無いようであれば、グリップ部１５０を設けることなく特別な滑り止め処理は施されていない通気管の外周面を単に露出させた構成であってもよい。
【００３０】
スライド部材１６０は、通気管１１０が挿通される筒状部材であり、ユーザ操作により、通気管１１０の長手方向に沿ってスライド可能となっている。スライド部材１６０は、当該スライド動作に伴って解除用部材１３０の端部を押圧し、解除用部材１３０を第１の位置Ｐ１から第２の位置Ｐ２まで押圧移動させる。
【００３１】
このように、スライド部材１６０として筒状部材を採用することにより、例えば樹脂等の比較的安価な柔らかい材質を採用しても、スライド方向の押圧力を解除用部材１３０に確実に伝達し、第２の位置Ｐ２まで押圧移動させることができる。なお、スライド部材１６０として、筒状の金属部材を採用することもできることは言うまでもない。
【００３２】
なお、スライド部材１６０として樹脂等の柔らかい筒状部材を採用することにより、スライド部材１６０が部分的に通気管のカバーの役割も果たし、エアチャックの通気管部分をホイールの飾り孔に挿し込む際に通気管がホイールを傷つける事態を防ぐことができる。
【００３３】
ここで、スライド部材１６０は筒状の部材に限られるものではなく、結果として少なくとも一部が通気管の長手方向に沿ってスライド可能であり、そのスライドによって解除用部材１３０を第２の位置Ｐ２まで押圧可能な、様々な形状を採用することができる。
【００３４】
なお、スライド部材１６０を弾性材料によって構成することにより、例えば、ホイールの飾り孔との関係で屈曲した通気管を採用したいような場合でも、通気管の形状に沿ってスライド部材１６０を変形させながらスライドさせることができる。
【００３５】
具体的に、スライド部材１６０の材質としては、エラストマー、ウレタン、ナイロン等の樹脂系材料やゴム系材料を採用することができる。もちろん、ここで挙げた具体的材質に限らず、通気管１１０の外周面に対して良好な滑り特性を有していればよい。また、通気１１０が屈曲する構成を採用している場合には、通気管の外形に沿って柔軟に変形可能な材料であることが望ましい。
【００３６】
また、本実施の形態では、通気管１１０は、その長手方向における中央位置よりも一端寄り（ヘッド１２０寄り）の所定位置Ｂにおいて、ヘッド１２０側から通気管１１０の他端側に向かうにつれてヘッド１２０の中心軸１２０ｘから遠ざかる方向に屈曲している（図２参照）。
【００３７】
ここで、「ヘッドの中心軸」とは、ヘッド１２０の接続口Ｈ２の中心を通る軸１２０ｘであり、ヘッド１２０をバルブに接続する際のヘッドの移動方向（図１０にて示した矢印Ｃ２の方向）と平行な軸となっている。
【００３８】
このような構成とすることにより、ヘッド１２０がタイヤバルブに接続された状態において、通気管の他端側はホイールの壁面から遠ざかる位置関係となり、エアチャックのホイールへの接触を回避しやすい構成となっている。
【００３９】
また、これにより、弾性部材からなるスライド部材１６０をスライドさせて第２の位置Ｐ２まで押圧する際に、スライド部材１６０はヘッド１２０から遠ざかる側に変形しながら解除用部材１３０端面を押圧する。つまり、スライド部材１６０に採用する弾性部材の変形等の要因により、スライド部材１６０の端部が解除用部材１３０だけでなくヘッド１２０の接続口Ｈ２側の端部にまで当接してしまい、結果として解除用部材１３０をスライドさせることができないといった事態が生じない。
【００４０】
図３は、本発明の第１の実施の形態によるエアチャックにおけるスライド部材の動作を示す図である。
【００４１】
作業者の操作によってスライド部材１６０が矢印Ｍ１の方向にスライドされると、スライド部材１６０の矢印Ｍ１の移動方向における先端の一部が、解除用部材１３０の接続口Ｈ２付近の端部の一部に当接する。この状態からさらにスライド部材１６０が矢印Ｍ１の方向にスライドされると、図３に示すように、スライド部材１６０の端部によって解除用部材１３０が矢印Ｎ１の方向に押圧され、第１の位置Ｐ１から第２の位置Ｐ２まで距離Ｄだけ移動する。このようにして解除用部材１３０が第２の位置Ｐ２まで移動された結果、ヘッド１２０のバルブに対する係合状態は解除され、バルブはヘッド１２０の接続口Ｈ２から離脱可能となる。
【００４２】
図４は、本発明の第１の実施の形態によるエアチャックをホイールの飾り孔に挿入した状態を示す概略断面図である。同図に示すように、本実施の形態によるエアチャック１をダブルタイヤにおける外側タイヤＴｏのバルブＶｏに接続する場合、まずエアチャック１をヘッド１２０側からホイールＷｏの飾り孔Ｋに矢印Ｃ１の方向に挿入する。
【００４３】
続いて、エアチャック１をタイヤバルブＶｏへ向けて矢印Ｃ２方向に移動させることにより、ヘッド１２０の接続口Ｈ２にタイヤバルブＶｏが挿入され、ヘッド１２０の公知の内部機構により、ヘッド１２０の接続口Ｈ２とタイヤバルブＶｏとが係合状態となる。
【００４４】
図５は、本発明の第１の実施の形態によるエアチャックをダブルタイヤにおける外側タイヤＴｏのバルブＶｏに接続した状態を示す概略断面図である。図６は、本発明の第１の実施の形態によるエアチャックをダブルタイヤにおける外側タイヤＴｏのバルブＶｏに接続した状態で、通気管１１０の他端側の開口Ｈ１に接続されたホースＵを介して外側タイヤＴｏの充気作業もしくは空気圧測定を行なう様子を示す概念図である。
【００４５】
図５および図６に示すように、ヘッド１２０における接続口Ｈ２のエアチャック１の長手方向における位置は、ヘッド１２０の接続口Ｈ２をエアチャックの接続対象として規定されている所定のホイール群の内の最小径のホイールのタイヤバルブに接続した状態において、最小径のホイールの飾り孔Ｋ内の空間内に、エアチャック１のヘッド１２０側の端部Ｅの少なくとも一部が位置しないように設定されている。
【００４６】
ここで、「エアチャックの接続対象として規定されている所定のホイール群の内の最小径のホイール」とは、一例として、ＩＳＯ規格に従う１９．５インチのホイール等が挙げられる。  
【００４７】
例えば、「所定のホイール群の内の最小径のホイール」の更に具体的な一例としては、本特許出願の出願日の時点におけるＡＬＣＯＡ  ＷＨＥＥＬＳ社（登録商標）製のＩＳＯ対応の１９．５インチのアルミホイ−ル等を挙げることができる。
【００４８】
上記のような、エアチャックの接続対象として規定されている所定のホイール群の内の最小径のホイールのバルブに本発明によるエアチャックのヘッド１２０が接続された際には、エアチャックのヘッド側の端部Ｅの少なくとも一部は、これらホイールの飾り孔内の空間内には位置しない設計（すなわち、エアチャック全体におけるヘッド側の端部からヘッド１２０の接続口Ｈ２までの距離が長い構成）となっている。
【００４９】
したがって、設計上の事情からエアチャックにおけるヘッド１２０側の端部Ｅ付近のサイズが大きくなってしまう場合でも、その部位の少なくとも一部は、エアチャックのタイヤバルブへの接続時には飾り孔内には存在しないため、エアチャックにおけるヘッド側の端部Ｅ付近と飾り孔との干渉の問題が生じない。これは、飾り孔とヘッド１２０の干渉によるホイールの傷つきを防止することができるだけでなく、エアチャックのヘッド１２０側の端部Ｅ付近の寸法的制約を緩和することにつながり、設計上の自由度を高めることができる。
【００５０】
また、「接続対象として規定されている所定のホイール群」とは、カタログ上あるいは仕様上で明確に表現されているか否かに拘わらず、そのエアチャックの使用が明示的に或いは暗示的に想定されるホイール群を意味する。
【００５１】
また、「飾り孔内の空間」とは、対象となるホイールにおける、飾り孔の形成のために取り除かれている部分の空間を意味する。換言すれば、飾り孔が形成されていない状態のホイールと飾り孔が形成されている状態のホイールとの差分として得られる空間を意味する。
【００５２】
つまり、ヘッド１２０における接続口Ｈ２のエアチャック１の長手方向における位置は、ヘッド１２０の接続口Ｈ２をエアチャック１の接続対象として規定されている所定のホイール群の内の最小径のホイールのタイヤバルブに接続した状態において、エアチャック１のヘッド１２０側の端部Ｅの少なくとも一部が、最小径のホイールの飾り孔を突き抜けてホイールの反対側（車両中央側）に位置する構成となっている。
【００５３】
図７は、本発明の第１の実施の形態によるエアチャックにおいて、スライド部材を用いてバルブとの接続を解除する様子を示す概略断面図である。
【００５４】
図５および図６にて示した係合状態を解除し、エアチャック１のヘッド１２０の接続口Ｈ２をタイヤバルブＶｏから離間させるため、作業者はスライド部材１６０を矢印Ｍ１の方向にスライドさせる。これに伴い、ヘッド１２０に設けられた解除用部材１３０が矢印Ｎ１の方向に第２の位置Ｐ２まで移動する。解除用部材１３０が第２の位置Ｐ２まで移動された状態のとき、解除用部材１３０の作用によりヘッド１２０におけるタイヤバルブＶｏへの係合状態は解除されているため、エアチャック１を図８に示す矢印Ｃ３の方向に移動させることで、ヘッド１２０の接続口Ｈ２をタイヤバルブＶｏから離間させることができる。
【００５５】
このように、ヘッド１２０におけるタイヤバルブＶｏへの係合状態を解除する際には、スライド部材１６０を矢印Ｍ１の方向に押し込みつつ、そのままエアチャック１全体も矢印Ｍ１と同方向を向く矢印Ｃ３の方向に押し込めばよい。つまり、作業者は例えばスライド部材１６０を矢印Ｍ１の方向に押し込み続けることで、ヘッド１２０におけるタイヤバルブＶｏへの係合状態の解除とヘッド１２０のバルブＶｏからの離間の両方を実現することができる。
【００５６】
なお、スライド部材１６０が筒状の弾性部材によって構成されている場合、スライド部材１６０が屈曲位置Ｂにおいて変形することで、スライド部材１６０と通気管１１０との間で強い摩擦力が働き、操作者がスライド部材１６０から手を離しても、スライド部材１６０によって解除用部材１３０を第２の位置Ｐ２に押圧したままの状態（係合解除された状態）で保持可能なような構成とすることもできる。
【００５７】
このように、ヘッド１２０の接続口Ｈ２をタイヤバルブＶｏから離間させ、飾り孔Ｋから抜き出す際、本実施の形態によるエアチャック１のヘッド１２０の接続口Ｈ２側の端部１２０ｅ（図２）が、通気管１１０の屈曲位置Ｂ付近に位置している（ヘッド１２０におけるタイヤバルブＶｏへの接続位置付近で通気管１１０が曲がっている）ため、ヘッド１２０におけるタイヤバルブＶｏへの接続位置付近を中心としたエアチャック１の姿勢変更を行った場合の、ホイール壁面、通気管１１０の飾り孔Ｋの内壁および縁部との干渉を最小限に抑えることができる。
【００５８】
また、本実施の形態では通気管１１０は、一箇所で屈曲している構成を例示したが、これに限られるものではなく、複数箇所で曲がっているパイプであってもよい。また、通気管の曲がり方については、緩やかに弧を描くように曲がっている構成や鋭角に折り曲げられている構成を採用することができる。
【００５９】
また、本実施の形態に係るエアチャックによれば、例えば鏡面仕上げ等が施されたような美観を重視したホイール表面を傷つけることなく、また自由曲面で構成されたデザイン性の高いホイ−ル壁面との干渉を避けながら、確実にタイヤバルブとの接続および接続解除を行なうことができる。
【００６０】
（第２の実施の形態）
続いて、本発明の第２の実施の形態にかかるエアチャックについて説明する。
【００６１】
本発明の第２の実施の形態にかかるエアチャックは、上述の第１の実施の形態にかかるエアチャックの変形例であり、通気管の形状が第１の実施の形態にかかるエアチャックとは異なっている。以下、本実施の形態において、上述した第１の実施の形態において説明した構成部分と実質的に同様な機能を有する部分については同一符号を付し、説明は省略する。
【００６２】
図９は、本発明の第２の実施の形態によるエアチャック１’の変形例を示す断面図である。
【００６３】
同図に示すように、第２の実施の形態によるエアチャック１’における通気管１１０’は、直線状の筒状部材となっている。本実施の形態における筒状部材１１０’のように途中に屈曲点のない構造することにより、スライド部材１６０がスライド動作に伴って通気管１１０の外形に沿って変形する必要がない。したがって、本実施の形態における状部材１１０’は、弾性材料に限らず例えば金属材料のような剛性の高い材料によって形成することもできる。
【００６４】
上述のように、本発明の実施の形態によれば、以下のようなエアチャックを提供することができる。
（１）  通気管と、
前記通気管の一端に、タイヤバルブとの接続口が前記通気管の他端側から視認可能なように連結され、前記接続口が前記タイヤバルブに接続された際に前記通気管内部とタイヤ内とを通気可能に連通させるヘッドと、
前記ヘッドに対して第１の位置へ向けて弾性的に押圧されており、該弾性力に抗して押圧されることで第２の位置まで移動可能であり、前記第１の位置において前記ヘッドの前記タイヤバルブとの係合を許容し、前記第２の位置において前記ヘッドの前記タイヤバルブとの係合  を解除する解除用部材と、
ユーザ操作により、少なくとも一部が前記通気管の長手方向に沿ってスライド可能であり、前記スライド動作に伴って前記解除用部材  を前記第１の位置から前記第２の位置まで押圧移動させるスライド部材と、を備えるエアチャック。
（２）  前記ヘッドにおける前記接続口の前記エアチャックの長手方向における位置は、前記ヘッドの前記接続口を前記エアチャックの接続対象として規定されている所定のホイール群の内の最小径のホイールのタイヤバルブに接続した状態において、前記最小径のホイールの飾り孔内の空間内に、前記エアチャックの前記ヘッド側の端部の少なくとも一部が位置しないように設定されていることを特徴とする（１）に記載のエアチャック。
（３）  前記スライド部材は、前記通気管が挿通される筒状部材であることを特徴とする（１）に記載のエアチャック。
（４）  前記スライド部材は、弾性材料から構成される（３）に記載のエアチャック。
（５）  前記通気管は、その長手方向における中央  位置  よりも前記一端寄りの所定位置において、前記ヘッド側から前記通気管の他端側に向かうにつれて前記ヘッドの中心軸から遠ざかる方向に屈曲していることを特徴とする（１）に記載のエアチャック。
（６）  前記ヘッドの接続口側の端部は、前記所定位置  付近に位置することを特徴とする（５）に記載のエアチャック。
【００６５】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００６６】
１，１’  エアチャック、１１０，１１０’  通気管、１２０  ヘッド、１３０  解除用部材、１４０  接続部材、１５０  グリップ部、１６０  スライド部材。
【図１】
2018144683.tif 000003
【図２】
2018144683.tif 000004
【図３】
2018144683.tif 000005
【図４】
2018144683.tif 000006
【図５】
2018144683.tif 000007
【図６】
2018144683.tif 000008
【図７】
2018144683.tif 000009
【図８】
2018144683.tif 000010
【図９】
2018144683.tif 000011
【図１０】
2018144683.tif 000012